(57)【要約】【目的】  香りの発生器に関し、香料の補給と香りの発生と停止並びに発香量の調節を、小径の形状記憶合金ワイヤを多列に配して通電する電力の制御によって一元的に行い、緻密な香りのコントロールを簡素な機構で簡便に行える形状記憶合金ワイヤ加熱制御による自給式香り発生器を提供する。【構成】  駆動箱１６内に小径の形状記憶合金ワイヤ１を多列にワイヤ掛けに配列して通電し、自己内部抵抗による発熱による温度上昇で長さ方向に形状記憶動作をさせ、これを駆動アーム１０の出力として、Ｌリンク４１を介してプッシャー５１を動作し、ポンプユニット７０を作動し香料７６の補給を行い、同時に発香器の蓋２５を開き香りを発散し、且つ上部に配置した発香器２１底面を加熱する発熱温度を制御して香りの発散量をコントロールする。【選択図】            図２
2005237935.tif 000002
【特許請求の範囲】
【請求項１】
香料容器の上部にポンプホルダーを取付、その上部にポンプユニットを取付てポンプヘッド部に接続された供給管から、隣接して香りの放出を行う部位として設けた発香器内に香料を補給できるようにし、開閉可能な蓋を設けて発香器の内側に気化室を形成し、発香器の下方部に接続して駆動箱を設け、フレーム上に設置し、駆動箱内に、固定ワイヤ掛けと可動ワイヤ掛けを設け、形状記憶合金ワイヤを長くして使用するため回動可能なローラを設けワイヤを折り返して巻き、ワイヤ掛け間に形状記憶合金ワイヤを掛け渡し多列に配列し、形状記憶合金ワイヤの始端と終端にそれぞれ通電線を取付て通電できるようにして発熱温度を計測する温度センサを取付て駆動箱内に設置し、形状記憶合金ワイヤ列の上面部に発香器の底板下面部が接し熱伝導が行えるようにして、スプリングを設けて支持された可動ワイヤ掛け下面に駆動アームを取付て駆動箱の外部に出力できるようにし、Ｌリンクを介して連結したプッシャーを上下動に変換作動させ、ホンプユニットのポンプヘッドを上下動させ、香料容器内の香料を吸引して供給管を経て発香器内気化室内に送出できるようにし、同時にプッシャーに設けたカムアーム部先端に取り付けたカムローラにより蓋の開閉支点の背面側に設けたカム作用面に作用し蓋の開閉動作がなされるようにして、形状記憶合金ワイヤへの電力供給量を調整する制御部を設け、香りの発散、停止、発香量の調節、発香器への香料の補給を行えるようにしたことを特徴とする形状記憶合金ワイヤ加熱制御による自給式香り発生器。
【発明の詳細な説明】
【発明の詳細な説明】
【産業上の利用分野】
【００１】  この発明は、香りの発散・停止・発香量の調節を簡便で素早く行えるようにし、香りの効果的活用を容易に行える装置を提供し、快適な香り環境の創出に寄与する。
【背景技術】
【００２】  これまでの香発生器は香料容器の蓋を取り外して放置し、自然に任せて香りを拡散するものが多く香りの発散量のコントロールや香りの発散・停止を簡便に制御しようとするものが少なかった。  そこで出願人は以前に、特開平０９−０１０２９０および特開平０９−２７１５１３としてペルチェ素子の加熱・冷却作用を形状記憶合金コイルの温度制御に応用した方式で、また、特願２００３−２９７９５４として、形状記憶合金コイルへ直接通電して、コイルの自己内部抵抗による発熱により形状記憶動作を行わしめ、香りの発香又は停止を行う技術を特許出願している。
【発明が解決しようとする課題】
【００３】  従来技術のペルチェ素子による発香容器の加熱を形状記憶合金コイルへ熱伝導する技術においては、まず発香容器と内容香料の温度が上昇し、ついで形状記憶合金コイルへ熱伝導するので、形状記憶合金コイルが作動するまで温度上昇に時間がかかり、香りの発香指令から形状記憶合金コイルが伸長して発香容器の蓋を開け香りを発するまでに時間差が大きいものとなっていた。
そこでペルチェ素子による間接加熱式から形状記憶合金コイルへ直接通電し、形状記憶合金コイルの自己内部抵抗による発熱で形状記憶合金を作動させる方式を開発・試作し、応答性の改善を図った結果、さらなる改善の課題が得られた。
形状記憶合金コイルへの直接通電による香りの制御装置においては、ポンプユニットの作動出力及び蓋の開閉出力を得るため、コイル素線径を太くして高出力を得ていた。発熱源となる形状記憶合金コイルの内部抵抗は、長さに比例し面積に反比例するため、線径で比較すると線径の二乗に反比例して大きく変化し、高出力を得るため線径を太くすると、内部抵抗が大きく低下し、発熱に大電流を要し、放熱に時間がかかる問題があった。
香りの持つ生体に及ぼす効果が科学的に明確になってきており、その利用が多様化し香りの効果的活用が強く望まれてきており、小電流で、素早く、香りのコントロールを簡便に低価格で行える技術が必要となっている。
【課題を解決するための手段】
【００４】  香料７６を入れた香料容器７５の上口部にパッキン７７を取付、ポンプホルダー６１の下部ボトル接続ネジ６４に締結する。
ポンプホルダー６１の側面に給排ノーズ６５を設けその先端を差込管部６６として設け、給排ノーズ６５部に供給管接続部６７を設け、供給孔６８に連通する。また、差込管部６６の端面からポンプホルダー６１の内孔６２に通じるオーバーフロー孔６９を設ける。
この差込管部６６は後述する発香器２１の気化室２３の側壁に設けた補給穴２４に密接して差し込み香料の補給又は余剰香料の排出を行う。
ポンプフレーム７１、吸入管７２、ポンプヘッド７３、柔軟で屈曲可能な供給管７４により、ポンプユニット７０を構成し、ポンプホルダー６１の内孔６２に上部から吸入管７２を挿入し、ポンプホルダー６１の上部のポンプ接続ネジ６３にポンプユニット７０を締結し、供給管７４の先端を供給管接続部６７に接続する。
フレーム３１のフレームカット３９部にポンプホルダー６１を側面に設けたホルダー溝６１１を介して挿入支持する。
フレーム３１は香発生器背面側にフレームカット３９を設け中央付近両サイドにサイドフレーム３２を設け正面側に駆動箱１６の設置部を持つ。
サイドフレーム３２部に開閉支点３３、駆動支点３５、保持支点３７を設ける。
駆動箱１６は、上面開口部に発香器２１の結合部２２を装着出来るようにして背面側の側壁に駆動開口部１７を設け、左右側壁にローラ軸穴１９と通気穴２０を設け、内部側壁にスプリング受座１４と可動座１８を設け、内底部に温度センサ１５とワイヤ掛け座板７を取付、ワイヤ掛け座板７上に固定ワイヤ掛け４を固定する。  セラミックスなどの耐熱・絶縁材料で造られた固定ワイヤ掛け４のワイヤ配列両端位置にワイヤ端止め穴５を設け、その内側のワイヤ配列に相当する位置にワイヤ渡溝６を設ける。
駆動箱内左右に設けた可動座１８上に可動ワイヤ掛け８の左右端部を乗せる。
セラミックスなどの耐熱・絶縁材料で造られた可動ワイヤ掛け８のワイヤ配列に相当する位置にワイヤ渡溝９を設ける。
ローラ軸穴１９に円筒状のセラミックスなどの耐熱・絶縁材料で造られたローラ１２を回動可能にしてローラ軸１９１を通して取り付ける。
形状記憶合金ワイヤ１は、温度上昇時に長さを縮小する形状記憶タイプを使用し、低温時にバイアススプリングにより元の長さに伸長されるよう計画する。
形状記憶合金ワイヤ１は一方向形状記憶合金、二方向形状記憶合金のいずれでも使用出来る。
形状記憶合金ワイヤ１の始端部に通電線２を結合して固定ワイヤ掛け４の一方のワイヤ端止め穴５に固定し、形状記憶合金ワイヤ１をローラ１２の下方から上方に巻いて折り返して可動ワイヤ掛け８の上面からワイヤ渡溝９に入れ下方に出し隣接のワイヤ渡溝９から上方に戻し可動ワイヤ掛け８の上面からローラ１２上面方向に戻し延伸しローラ１２を下方に巻いて固定ワイヤ掛け４方向に延伸し渡溝６に入れ下方に出し隣接のワイヤ渡溝６から上方に戻し固定ワイヤ掛け４の上面から再びローラ１２の下方から上方に巻いて折り返して隣接のワイヤ渡溝９を通して折り返し、形状記憶合金ワイヤ１を順次隣接の渡溝に巻き付け多列に配列し、終端を通電線３を結合して固定ワイヤ掛け４のもう一方のワイヤ端止め穴５に固定する。
スプリング受座１４と可動ワイヤ掛け８の端面間にスプリング１３を装着して形状記憶合金ワイヤ１にバイアス張力を与える。
可動ワイヤ掛け８の下面に駆動アーム１０の端部を取付てアーム状の他端を駆動箱１６の背面方向外部に突出し形状記憶合金ワイヤ１の作動力を出力する。
サイドフレーム３２の駆動支点３５にＬリンク４１の中央部のＬ支点穴４２を駆動支点ピン３６で揺動可能に連結する。
Ｌリンク４１の端部のアーム接続穴４３と駆動アーム１０のアーム端に設けたアーム連結穴１１とを揺動可能にピン連結する。
Ｌリンク４１のもう一方の先端部の作用穴４４をブッシャー５１に設けたブッシャ作用穴５３に作用ピン５４で揺動可能に連結する。
保持リンク４５及び保持リンク４６の両端部に保持支点穴４７と保持作用穴４８を設け、サイドフレーム３２左右の保持支点３７に保持リンク４５及び保持リンク４６の保持支点穴４７をそれぞれ保持支点ピン３８で揺動可能に連結する。
保持リンク４５及び保持リンク４６の保持作用穴４８をプッシャー５１左右のブッシャ保持穴５５に保持ピン５６で揺動可能に連結する。
プッシャー５１は略門型形状で左右の柱板部の下方側にブッシャ作用穴５３と中間付近にブッシャ保持穴５５を設け、天板部に中央下面に当板５２を設け、右側柱板部の中間付近より正面方向にカムアームを張出して先端部の外側に向けてにカム軸５８を設けている。カム軸５８部にカムローラ５９を回動可能に取り付ける。
テフロンなどの耐熱・絶縁材料で造られた発香器２１の内空部を気化室２３として、背面側側壁に補給孔２４を設けて、外側下部に結合部２２を設けて、駆動箱１６の上面から結合部２２をはめ込み保持できるようにして、このとき発香器２１の下面が形状記憶合金ワイヤ１列の上面に形状記憶動作で伸縮可能な状態で接して、伝熱されるようにする。
発香器２１の上方にパッキン２９を装着した蓋２５を設ける。
蓋２５の背面側に蓋支点穴２８を有する蓋支点ブロック２６を固着し、蓋支点穴２８をサイドフレーム３２の開閉支点３３から開閉支点ピン３４で回動可能に支持する。
蓋支点ブロック２６の上面後辺をカム作用面２７として、ブッシャー５１の上下作動時にカムローラ５９が作用し、蓋２５が開閉される。
香料の供給に用いるポンプユニットはリターンスプリングが内蔵されポンプヘッドを押し込むと香料を吐出し、開放するとリターンスプリングでポンプヘッドが復帰しつつポンプフレーム内に香料を吸引し次回の吐出に備えることができるもので化粧品乳液などの供給用に市販されておりそれらを活用しても良い。
形状記憶合金ワイヤの発熱温度を計測する温度センサ１５を設け、設定温度に調節する制御部を設け、通電線２及び通電線３から形状記憶合金ワイヤ１に通電し、形状記憶合金ワイヤ１の自己内部抵抗で発熱させ形状記憶動作を行わせることを制御して、香りの発散と停止及び香りの発散量調節と香料の発香器への補給を行えるようにしたことを特徴とする形状記憶合金ワイヤ加熱制御による自給式香り発生器である。
【作用】
【００５】  本発明は形状記憶合金ワイヤへの通電よる発熱作用を、香料を発散する加熱源として活用するとともに、温度変化によって形状記憶動作として伸縮する作用を駆動源として、香料の発散と停止を行う蓋２５の開閉動作を行わしめ、同時に香料の発香器気化室２３への補給動作として活用し、香りのコントロールを行うもので、小径長寸の形状記憶合金ワイヤを用い、小電流で高応答性を発揮する。
香料は一般的に加熱に適した温度範囲で設定温度が高いほど発香量が増加する傾向があり、発香量を想定して加熱温度を制御部で設定し、形状記憶合金ワイヤ１に通電線２及び通電線３から通電し、温度センサー１５により発熱温度を計測し、設定温度に制御する。
材料所定の高温度以上で長さを縮小する形状記憶合金ワイヤを用い、低温時にバイアススプリングで伸長復帰させて使用している。
形状記憶合金ワイヤの発熱温度を利用するため、繰り返し使用が可能な温度以内に最大設定値を制御している。
繰り返し使用が可能な温度範囲は、一般的に形状記憶動作温度より６０℃程度高い範囲迄であり、形状記憶動作温度が７０℃付近であれば１３０℃付近以下を香り発生機の発香量調節温度範囲としている。
形状記憶合金ワイヤの形状記憶動作時の長さ変化は最大４〜５％で、実用的には３％程度と変位量が少ないので中間にローラ１２を用いて折り返して使用し長さを確保している。
形状記憶合金ワイヤの作動出力は、大変強力であり、線径φ０．２ｍｍの市販材料の例を示すと実用最大負荷荷重は１２８０ｇｆ（材料メーカー発表値）としている。最大負荷荷重の約１／３程度を形状復帰用バイアス力として、残約２／３を作動出力として活用することが出来る。
形状記憶合金ワイヤを多列に配列すると更に強力な出力が得られることから、変位量の少なさを補うようＬリンクで作用長さを変換し変位量を目的量まで拡大することができる。
形状記憶合金をコイルとして利用するとき、変位量は１００％以上の高変位量が得られるが、出力が大変小さいため、同程度の出力を得るのに線径が大変太くならざるを得ない。発熱源となる形状記憶合金コイルの内部抵抗は、長さに比例し面積に反比例するため、線径で比較すると線径の倍率の二乗に反比例して大きく変化し、高出力を得るため線径を太くすると、内部抵抗が著しく低下し、発熱に大電流を要し、放熱に時間がかかる結果となり応答性が著しく低下する。
形状記憶合金をワイヤとして利用するとき、小径で大出力が得られ、小径であるため高内部抵抗となり、小電流で素早く加熱することが出来る。また、小径小断面であることから放熱が素早くでき高応答性を発揮することができる。
形状記憶合金ワイヤ１に通電すると発熱をはじめ、形状記憶動作温度以上に達して急速にワイヤ長を縮小変位させ、スプリング１３の張力に抗して可動ワイヤ掛け８とともに駆動アーム１０を駆動箱１６側に移動し、Ｌリンクを揺動させ、連結されたプッシャー５１を下方に作動させ、当板５２がポンプヘッド７３を押し下げ、香料を供給管７４から供給孔６８を経て発香器２１の気化室２３内に供給する。余剰香料はオーバーフロー孔６９から香料容器７５内に戻る。
同時にプッシャー５１の下降によりカムローラ５９の作用で発香器２１上の蓋２５を開く。
形状記憶合金ワイヤ１は設定温度まで温度上昇していき設定温度に保持される。発香器２１の下面は形状記憶合金ワイヤ１列の上面に接してるので底面より加熱され、気化室２３内の香料が温度上昇に伴って活発に香りを発散する。
通電を停止すると形状記憶合金ワイヤ１の温度が次第に低下し形状記憶動作停止温度以下になるとポンプヘッドの復帰力や蓋２５の閉止作用重力や駆動箱１６内のスプリング１３のバイアス力により形状記憶合金ワイヤ１列が伸長され、駆動アーム１０及びプッシャー５１が次第に初期状態に復帰し、カムローラ５９の上昇に伴って蓋が自重で閉じられ香りの発散が停止される。
駆動箱１６の側面には通気孔２０及び駆動開口部１７があり形状記憶合金ワイヤ１からの放熱が行えるようになっており、また、通気孔に外部から送風して放熱を促進しても良い。
以上のように構成することにより、形状記憶合金ワイヤ１への電力制御のみで、香料の発香器への補給、香りの発散、発散の停止、発香量の調節などが一元的に行うことができ、極めて簡便な機構とし、消費電力を低減し、高応答性を発揮することができる。
【実施例】
【００６】  以下、本発明の実施例を述べる。
香料７６を入れた香料容器７５の上口部にパッキン７７を取付、テフロン材や耐薬品材料で造ったポンプホルダー６１の下部ボトル接続ネジ６４に締結する。ポンプホルダー６１の側面に給排ノーズ６５を設けその先端を差込管部６６として設け、給排ノーズ６５部に供給管接続部６７を設け、供給孔６８に連通する。また、差込管部６６の端面からポンプホルダー６１の内孔６２に通じるオーバーフロー孔６９を設ける。
この差込管部６６は後述する発香器２１の気化室２３の側壁に設けた補給穴２４に密接して差し込み、香料の補給又は余剰香料の排出を行う。
ポンプフレーム７１、吸入管７２、ポンプヘッド７３、柔軟で屈曲可能な供給管７４により、ポンプユニット７０を構成し、ポンプホルダー６１の内孔６２に上部から吸入管７２を挿入し、ポンプホルダー６１の上部のポンプ接続ネジ６３にポンプユニット７０を締結し、供給管７４の先端を供給管接続部６７に接続する。ポンプユニットは化粧品乳液などの供給用にひろく市販されており、供給管７４部を柔軟で屈曲可能なチューブに交換して本発明の目的に使用でき、リターンスプリングが内蔵されており、ポンプヘッドを押し込むと香料を吐出し、開放するとリターンスプリングでポンプヘッドが復帰しつつポンプフレーム内に香料を吸引し次回の吐出に備えることができる。
フレーム３１のフレームカット３９部にポンプホルダー６１を側面に設けたホルダー溝６１１を介して挿入支持する。
ステンレス材や強度のある金属材料で造られたフレーム３１は香発生器背面側にフレームカット３９を設け中央付近両サイドに並立してサイドフレーム３２を設け正面側に駆動箱１６の設置スペースを持たせる。
サイドフレーム３２部に開閉支点３３、駆動支点３５、保持支点３７を設ける。
駆動箱１６は、上面開口部に発香器２１の結合部２２を装着出来るようにして背面側の側壁に駆動開口部１７を設け、左右側壁にローラ軸穴１９と通気穴２０を設け、内部左右側壁にスプリング受座１４と可動座１８を設ける。
形状記憶合金ワイヤの温度センシングが出来る駆動箱１６の内底部位置に温度センサ１５を取り付ける。また、内底部の駆動開口部寄りの位置にワイヤ掛け座板７を取付、ワイヤ掛け座板７上に固定ワイヤ掛け４を固定する。
セラミックスなどの耐熱・絶縁材料で造られた固定ワイヤ掛け４のワイヤ配列両端位置にワイヤ端止め穴５を設け、その内側のワイヤ配列に相当する位置にワイヤ渡溝６を設ける。
駆動箱内左右に設けた可動座１８上に可動ワイヤ掛け８の左右端部を乗せる。
可動座１８によって可動ワイヤ掛け８が移動するとき形状記憶合金ワイヤ１の上面高さが安定化される。
セラミックスなどの耐熱・絶縁材料で造られた可動ワイヤ掛け８のワイヤ配列に相当する位置にワイヤ渡溝９を設ける。
ローラ軸穴１９に円筒状のセラミックスなどの耐熱・絶縁材料で造られたローラ１２を回動可能にしてローラ軸１９１を通して取り付ける。
形状記憶合金ワイヤ１は、温度上昇時に長さを縮小する形状記憶タイプを使用し、低温時にバイアススプリングにより元の長さに伸長されるよう計画する。
形状記憶合金ワイヤ１は一方向形状記憶合金、二方向形状記憶合金のいずれでも同方向の作動を行えるものであれば使用出来る。
形状記憶合金ワイヤ１の始端部に通電線２を結合して固定ワイヤ掛け４の一方のワイヤ端止め穴５に固定し、形状記憶合金ワイヤ１をローラ１２の下方から上方に巻いて折り返して可動ワイヤ掛け８の上面からワイヤ渡溝９に入れ下方に出し隣接のワイヤ渡溝９から上方に戻し可動ワイヤ掛け８の上面からローラ１２上面方向に戻し延伸しローラ１２を下方に巻いて固定ワイヤ掛け４方向に延伸し渡溝６に入れ下方に出し隣接のワイヤ渡溝６から上方に戻し固定ワイヤ掛け４の上面から再びローラ１２の下方から上方に巻いて折り返して隣接のワイヤ渡溝９を通して折り返し、形状記憶合金ワイヤ１を順次隣接の渡溝に巻き付け多列に配列し、終端を通電線３を結合して固定ワイヤ掛け４のもう一方のワイヤ端止め穴５に固定する。  形状記憶合金ワイヤ１の配列状態の概要を図６（ａ）に示し、判り易くするため上下間隔を拡げて補助線で補記している。
図６（ｂ）はローラ１２への巻き付けを直線状に展開して示している。
形状記憶合金ワイヤ１は１条の小径線を多列にして長寸法化し、高内部抵抗を得ている。    形状記憶動作による作動方向を図６、矢印Ｃに示す。
スプリング受座１４と可動ワイヤ掛け８の端面間にスプリング１３を装着して形状記憶合金ワイヤ１にバイアス張力を与える。
可動ワイヤ掛け８の左右端部より内側の下面に駆動アーム１０の端部を取付てアーム状の他端を駆動箱１６の背面方向外部に突出し形状記憶合金ワイヤ１の作動力を出力し、高温時に引き動作をするアクチュエータとして機能する。
サイドフレーム３２の駆動支点３５にＬリンク４１の中央部のＬ支点穴４２を駆動支点ピン３６で揺動可能に連結する。
Ｌリンク４１の端部のアーム接続穴４３と駆動アーム１０のアーム端に設けたアーム連結穴１１とを揺動可能にピン連結する。
Ｌリンク４１のもう一方の先端部の作用穴４４をブッシャー５１に設けたブッシャ作用穴５３に作用ピン５４で揺動可能に連結する
保持リンク４５及び保持リンク４６の両端部に保持支点穴４７と保持作用穴４８を設け、サイドフレーム３２左右の保持支点３７に保持リンク４５及び保持リンク４６の保持支点穴４７をそれぞれ保持支点ピン３８で揺動可能に連結する。保持リンク４５及び保持リンク４６の保持作用穴４８をプッシャー５１左右のブッシャ保持穴５５に保持ピン５６で揺動可能に連結する。
プッシャー５１は、保持リンクと前述のＬリンクにより垂直に保持されつつ駆動アーム１０の水平方向の作動をＬリンクにより垂直方向の作動に変換される。
プッシャー５１は略門型形状で左右の柱板部の下方側にブッシャ作用穴５３と中間付近にブッシャ保持穴５５を設け、天板部に中央下面に当板５２を設け、右側柱板部の中間付近より正面方向にカムアームを張出して先端部の外側に向けてにカム軸５８を設けている。カム軸５８部にカムローラ５９を回動可能に取り付ける。    プッシャー５１の上下作動を図２、矢印Ｂに示す。
テフロンなどの耐熱・絶縁材料で造られた発香器２１の内空部を気化室２３として、背面側側壁に補給孔２４を設けて、外側下部に結合部２２を設けて、駆動箱１６の上面から結合部２２をはめ込み保持できるようにして、このとき発香器２１の下面が形状記憶合金ワイヤ１列の上面に形状記憶動作で伸縮可能な状態で接して、伝熱されるようにする。
発香器２１の上方にパッキン２９を装着した蓋２５を設ける。
蓋２５の背面側に蓋支点穴２８を有する蓋支点ブロック２６を固着し、蓋支点穴２８をサイドフレーム３２の開閉支点３３から開閉支点ピン３４で回動可能に支持する。    蓋２５の開閉方向を図２、矢印Ａに示す。
蓋支点ブロック２６の上面後辺をカム作用面２７として、ブッシャー５１の上下作動時にカムローラ５９が作用し、蓋２５が開閉される。
気化室２３の内底部に香料の浸透性がある拡散シート８１を敷くと補給された香料が素早く浸透し広がり香りの発散面積が安定化する効果がある。
香料の供給に用いるポンプユニツトはリターンスプリングが内蔵されポンプヘッドを押し込むと香料を吐出し、開放するとリターンスプリングでポンプヘッドが復帰しつつポンプフレーム内に香料を吸引し次回の吐出に備えることができるもので化粧品乳液などの供給用に市販されておりそれらを活用しても良い。
形状記憶合金ワイヤの発熱温度を計測する温度センサ１５を設け、設定温度に調節する制御部を設け、通電線２及び通電線３から形状記憶合金ワイヤ１に通電し、形状記憶合金ワイヤ１の自己内部抵抗で発熱させ形状記憶動作を行わせることを制御して、香りの発散と停止及び香りの発香量調節と香料の発香器への補給を行えるようにした。
【発明の効果】
【００７】  本発明にように、形状記憶合金ワイヤを多列に配列することにより大出力を発生でき香発生器を作動させる必要出力が容易に得られる。
小径の形状記憶合金ワイヤを多列に配列し長寸法化できるので、自己内部抵抗が高抵抗となり、香料を加熱気化する発熱が小電流で急速に行え、且つ放熱が容易となり、作動の応答性が向上する。
形状記憶合金による作動であり、作動音を発することなく素早い香りの供給ができる。
香りの発生量の調節および香りの放出・停止と発香器への香料の補給などを形状記憶合金ワイヤへの電力の供給制御のみで簡便に行うことができる。
制御部で香りの発生量を容易に経時変化させることができ、香りの揺らぎ効果を活用し人の香り関知能力を持続することができ、また香りの制御性が良いことから、香りの持つ生体への影響を効果的に活用する利用法などが容易に出来る。
香りを制御する機構が簡素化され、低価格な装置として提供できる。
【図面の簡単な説明】
【図１】  本発明の香発生器の左側面図で、発香器の蓋を閉止し香り発生を停止している状態を示す。
【図２】  本発明の香発生器の左側面図で、通電作動状態で、発香器の蓋を開放し香りを発散している状態を示し、機能を判りやすくするため要部について断面を示す。
【図３】  香発生器の蓋閉止状態の正面図で、香りの発散を停止している状態を示す。
【図４】  本発明の香発生器の背面図で、発香器の蓋を閉止し香りの発散を停止している状態を示す。
【図５】  本発明の香発生器の縮小分解図で、分かりやすく表現するため、要部断面図と斜視図を加え、更に、形状記憶合金ワイヤは配列が近接しているため上下間隔をを拡大図示し、要部を補助線により関連づけしている。
【図６】  本発明の香り発生器に用いる形状記憶合金コイルの配列状態を説明する目的の拡大図で、図６（ａ）本発明の香り発生器に用いる形状記憶合金ワイヤとその配列支持部と温度センサーと出力用駆動アームを示す。形状記憶合金ワイヤは上下間隔をを拡大図示し、要部を補助線により関連づけしている。図６（ｂ）は、図６（ａ）の形状記憶合金ワイヤを展開状態で示し、配列状態の理解を補助している。
【図７】  図７は、図２のア−ア矢視断面を示す平面図で、形状記憶合金ワイヤが高温状態で縮小した位置関係の状態を示す。
【図８】  図８は、本発明の香発生器の平面図で、発香器の蓋閉止状態を示す。
【符号の説明】
１．形状記憶合金ワイヤ
４．固定ワイヤ掛け
８．可動ワイヤ掛け
１０．駆動アーム
１２．ローラ
１３．スプリング
１５．温度センサ
１６．駆動箱
２１．発香器
２５．蓋
３１．フレーム
４１．Ｌリンク
４６．保持リンク
５１  プッシャー
５９  カムローラ
６１  ポンプホルダー
７０．ポンプユニツト
７４．供給管
７５．香料容器
７６．香料
【図１】
2005237935.tif 000003
【図２】
2005237935.tif 000004
【図３】
2005237935.tif 000005
【図４】
2005237935.tif 000006
【図５】
2005237935.tif 000007
【図６】
2005237935.tif 000008
【図７】
2005237935.tif 000009
【図８】
2005237935.tif 000010